(57)【要約】【課題】省スペースであり、車両の後方側に乗降口およびステップを設置するための改造が容易な検診車を提供する。【解決手段】検診車１０は、車両２の内部に配置され、車両２の床下機器が収納される床下空間１１と、検診が行われる床上空間１３を仕切る床面８と、床面８に下端が沿うように、車両２の後輪５の後方に配置され、下端を中心として回動することで開閉可能に構成され、開いた状態においてステップとして用いられる第１扉４と、第１扉４よりも前方に配置された第２扉６とを備える。【選択図】  図１
2011126504.tif 000002
【特許請求の範囲】
【請求項１】
車両の内部に配置され、前記車両の床下機器が収納される床下空間と、検診が行われる床上空間を仕切る床面と、
前記床面に下端が沿うように、前記車両の後輪の後方に配置され、該下端を中心として回動することで開閉可能に構成され、開いた状態においてステップとして用いられる第１扉と、
前記第１扉よりも前方に配置された第２扉とを備えたことを特徴とする検診車。
【請求項２】
前記第１扉の前記床上空間側の面には複数の突起が設けられており、該複数の突起は、前記第１扉が前記ステップとして用いられるときに滑り止めとして機能することを特徴とする請求項１に記載の検診車。
【請求項３】
前記第１扉には開口部と、該開口部に対応する位置に配置された回転軸と、該回転軸を中心として回動可能に固定されたステップ板とが設けられており、
前記ステップ板は、前記第１扉が閉じている状態において前記第１扉に沿って折りたたまれた状態となり、前記第１扉が開いている状態において前記開口部に差し込まれることを特徴とする請求項１に記載の検診車。
【発明の詳細な説明】
【技術分野】
【０００１】
本発明は、検診車に係り、特に、バスをベースにして改造して製造される検診車に関する。
【背景技術】
【０００２】
従来から、バスをベースに製造される検診車が知られている。例えば、レントゲン車として用いるような検診車では、検診を効率よく行う観点から、車両の前後２箇所に乗降口を設ける改造を行っている。特に、ツーステップバスでは、出入口の段差が大きく、車両の後方側に乗降口が設けられていないため、車両の後輪より後側に位置する部分（リヤオーバーハング）に乗降口を設けて、車両内側に階段形状のステップを設ける改造を行う。
【０００３】
しかし、バスのリヤオーバーハングには、尿素タンクやこれらを制御する制御ユニット等の排ガス規制対応関連の機器が床下に配置されているため、車両内側に階段形状のステップを設けるためには、これらの機器を移設する必要があり、改造に多大なコスト及び手間を要することになる。そこで、床下機器の移設を伴わずに、バス車両にステップを設けて検診車とする改造手法の提案が求められている。
【０００４】
ここで、バス車両にステップを設けて検診車に改造したものではないが、特許文献１には、車いすを乗せることができる自動車のタラップドアが記載されている。このタラップドアは、ハッチバックドアのドアヒンジを下に取り付けることによって、ハッチバックドアの上をタラップとして使用し、車いすを押して自動車に乗せることができるようになっている。
【０００５】
また、特許文献２には、自動車の側面の一部を床として利用する医療用検診車の大型展開扉が記載されている。この大型展開扉は、車両後方の乗降口とは別に車両前方に設けられており、待合室兼診断室となるコンテナを自動車内から引き出すことができるようになっている。
【０００６】
また、特許文献３には、車両の後壁面に出入口が設けられているＣＴ検診車が記載されている。ＣＴ検診車の出入口には、リフト装置または引き出し式の昇降ステップが備えられており、被験者を担架や車いすに乗せたままでＣＴ検診車内に搬入することができるようになっている。
【先行技術文献】
【特許文献】
【０００７】
【特許文献１】特開２００３−８０９９５号公報
【特許文献２】実開平３−１００５３５号公報
【特許文献３】登録実案３０２７７６９号公報
【発明の概要】
【発明が解決しようとする課題】
【０００８】
しかしながら、特許文献１のタラップドアは、車いすを押して乗せるためのタラップドアであるため、車いす本体、車いす利用者および車いす介助者の重量に耐えうる剛性が必要となる。よって、車いす専用のドアとして必要とする剛性に応じてドアを設定するために、ドア全体の重量が増加するとともにドアの構造が複雑になる。
このため、特許文献１のタラップドアの構成を、バス車両をベースとした改造検診車に適用しても構造が複雑になってしまう。
【０００９】
特許文献２の大型展開扉は、車両後方の乗降口とは別に設けているので、改造部分が多くなり手間がかかる。また、特許文献２の大型展開扉は、自動車内から引き出したコンテナを支持するものであるので、乗降口に適用することは困難である。
このため、特許文献２の大型展開扉の構成を、バス車両をベースとした改造検診車に適用しても、改造に手間がかかるだけでなく、利用者の乗降口として用いることは難しい。
【００１０】
特許文献３のＣＴ検診車は、リフト装置を備えるため改造が複雑になる。また、引き出し式の昇降ステップを備える場合は、引き出し式の昇降ステップを収納するスペースが必要になる。
【００１１】
本発明は、上述の事情に鑑みてなされたものであり、省スペースであり、車両の後方側に乗降口およびステップを設置するための改造が容易な検診車を提供することを目的とする。
【課題を解決するための手段】
【００１２】
本発明に係る検診車は、車両の内部に配置され、前記車両の床下機器が収納される床下空間と、検診が行われる床上空間を仕切る床面と、前記床面に下端が沿うように、前記車両の後輪の後方に配置され、該下端を中心として回動することで開閉可能に構成され、開いた状態においてステップとして用いられる第１扉と、前記第１扉よりも前方に配置された第２扉とを備えたことを特徴とする。
【００１３】
この検診車では、床面に下端が沿うように、車両の後輪の後方（リヤオーバーハング）に第１扉を配置させたので、乗降口およびステップを設置するために、車両の床下空間に収容される床下機器の移設工程が不要になる。このため、バス車両の改造箇所を少なくすることができ、車両の後方側に乗降口およびステップを設置するための改造が容易になる。また、車両内の架装が行いやすくなる。
なお、後輪の後方の床下に配置されている機器とは、排ガス規制対応関連機器や燃料タンク、バッテリーなどのことを言う。
【００１４】
また、第１扉は床面の下端を中心として回動することで開閉可能に構成され、開いた状態においてステップとして用いられるので、従来の車両内側に設けられるステップを設けるよりもスペースを小さくすることができる。
【００１５】
上記検診車において、前記第１扉の前記床上空間側の面には複数の突起が設けられており、該複数の突起は、前記第１扉が前記ステップとして用いられるときに滑り止めとして機能してもよい。
これにより、第１扉を用いて検診車に乗降りすることが容易となる。
【００１６】
あるいは、上記検診車において、前記第１扉には開口部と、該開口部に対応する位置に配置された回転軸と、該回転軸を中心として回動可能に固定されたステップ板とが設けられており、前記ステップ板は、前記第１扉が閉じている状態において前記第１扉に沿って折りたたまれた状態となり、前記第１扉が開いている状態において前記開口部に差し込まれてもよい。
【００１７】
これにより、第１扉が閉じている状態において第１扉に沿って折りたたまれた状態となり、第１扉が開いている状態において開口部に差し込まれるので、従来の車両内側に設けられるステップを設けるよりもスペースを小さくすることができる。また、ステップ板が足場となるので、第１扉を用いて検診車に乗降りすることがより一層容易となる。
【発明の効果】
【００１８】
本発明では、床面に下端が沿うように、車両の後輪の後方（リヤオーバーハング）に第１扉を配置させたので、乗降口およびステップを設置するために、車両の床下空間に収容される床下機器の移設工程が不要になる。このため、バス車両の改造箇所を少なくすることができ、車両の後方側に乗降口およびステップを設置するための改造が容易になる。また、車両内の架装が行いやすくなる。
【００１９】
また、第１扉は床面の下端を中心として回動することで開閉可能に構成され、開いた状態においてステップとして用いられるので、従来の車両内側に設けられるステップを設けるよりもスペースを小さくすることができる。
【図面の簡単な説明】
【００２０】
【図１】本発明の一実施形態としての検診車の側面図である。
【図２】図１の検診車の背面図であり、（ａ）は第１扉が閉った状態を示す検診車の背面図、（ｂ）は第１扉が開いた状態を示す検診車の背面図である。
【図３】実施形態１の第１扉の一例を示す斜視図である。
【図４】実施形態２の第１扉の一例を示す斜視図である。
【図５】図４の第１扉が適用される検診車の背面図であり、（ａ）は第１扉が閉った状態を示す検診車の背面図、（ｂ）は第１扉が開いた状態を示す検診車の背面図である。
【図６】図５の第１扉の要部拡大図であり、（ａ）はステップ板の差し込み前の要部拡大図、（ｂ）はステップ板の差し込み後の要部拡大図である。
【発明を実施するための形態】
【００２１】
以下、添付図面に従って本発明の実施形態について説明する。但しこの実施形態に記載されている構成部品の寸法、材質、形状、その相対的配置等は特に特定的な記載がない限りは、この発明の範囲をそれに限定する趣旨ではなく、単なる説明例に過ぎない。
【００２２】
［実施形態１］
図１は、本発明の一実施形態としての検診車の側面図である。図２は、図１の検診車の背面図であり、（ａ）は第１扉が閉った状態を示す検診車の背面図、（ｂ）は第１扉が開いた状態を示す検診車の背面図である。図３は、実施形態１の第１扉の一例を示す斜視図である。
【００２３】
本発明の検診車１０は、バスをベースに改造して製造される。図１に示すように、検診車１０は主として、車両２の内部に配置され、車両２の床下機器が収納される床下空間１１と、検診が行われる床上空間１３を仕切る床面８と、第１扉４と、第１扉よりも前方に配置された第２扉６とにより構成される。
【００２４】
第１扉４は、図２（ａ），（ｂ）に示すように、床面８に下端が沿うように、車両２の後輪５の後方に配置され、該下端を中心として回動することで開閉可能に構成されている。
また、第１扉４は、開いた状態においてステップとして用いられる。
【００２５】
さらに、図２（ｂ）に示すように、第１扉４は、ダンパーステー１４を備えてもよい。ダンパーステー１４を設けることにより、第１扉４の開閉時の操作力を緩和できる。すなわち、第１扉４の開閉のために必要な力を小さくすることができる。
【００２６】
第１扉４には、図１および図２に示すように、第１扉４の床上空間１３側の面に複数の突起１２が設けられている。この複数の突起１２は、第１扉４がステップとして用いられるときに滑り止めとして機能してもよい。これにより、第１扉を用いて検診車に乗降りすることが容易となる。
複数の突起１２としては、例えば、図３に示すように、第１扉４に形成される滑り止め１２Ａが挙げられる。
【００２７】
上述の検診車１０では、図１および図２に示すように、床面８に下端が沿うように、車両２の後輪５の後方（ここでは、床下機器配置部７）上に第１扉４を配置させたので、乗降口およびステップを設置するために、車両２の床下空間１１に収容される床下機器の移設工程が不要になる。このため、バス車両の改造箇所を少なくすることができ、車両２の後方側に乗降口およびステップを設置するための改造が容易になる。また、車両内の架装が行いやすくなる。
【００２８】
また、第１扉４は床面８の下端を中心として回動することで開閉可能に構成され、開いた状態においてステップとして用いられるので、従来の車両内側に設けられるステップを設けるよりもスペースを小さくすることができる。
【００２９】
［実施形態２］
実施形態２では、滑り止め１２Ａに変えてステップ板１２Ｂを用いる点を除けば、実施形態１で説明した検診車１０と同一の構成であるので、検診車の全体図を省略する。また、実施形態１と同一の構成については、その詳細な説明を省略する。
【００３０】
図４は、実施形態２の第１扉の一例を示す斜視図である。図５は、図４の第１扉が適用される検診車の背面図であり、（ａ）は第１扉が閉った状態を示す検診車の背面図、（ｂ）は第１扉が開いた状態を示す検診車の背面図である。図６は、図５の第１扉の要部拡大図であり、（ａ）はステップ板の差し込み前の要部拡大図、（ｂ）はステップ板の差し込み後の要部拡大図である。
【００３１】
図４に示すように、第１扉４には、開口部１６と、開口部１６に対応する位置に配置された回転軸１９と、回転軸１９を中心として回動可能に固定されたステップ板１２Ｂとが設けられている。
ステップ板１２Ｂは、図５（ａ），（ｂ）に示すように、第１扉４が閉じている状態において第１扉４に沿って折りたたまれた状態となり、第１扉４が開いている状態において開口部１６に差し込まれる。第１扉４が開いている状態では、図５（ｂ）に示すように、ステップ板１２Ｂが地面に対して略平行に突出するように設けられる。
【００３２】
図６に示すように、開口部１６は、ステップ板１２Ｂの断面形状に合わせて形成される。
ステップ板１２Ｂには、長穴１８が形成されている。長穴１８は、ピン１７を摺動する摺動部１８Ａと、ピン１７と係合する係合部１８Ｂとを備えてもよい。これにより、ステップ板１２Ｂは、第１扉４にしっかりと固定される。
【００３３】
本実施形態の検診車１０では、第１扉４が閉じている状態において第１扉４に沿って折りたたまれた状態となり、第１扉４が開いている状態において開口部１６に差し込まれるので、従来の車両内側に設けられるステップを設けるよりもスペースを小さくすることができる。また、ステップ板１２Ｂが足場となるので、第１扉４を用いて検診車１０に乗降りすることがより一層容易となる。
【００３４】
なお、図示しないが、ステップ１２Ｂと第１扉４とを別体としてもよい。このような構成とすることにより、検診を行う場合にだけ、ステップ板１２Ｂを第１扉４の開口部１６に差し込むことができるので、走行時の騒音を防止することができる。
【００３５】
以上、本発明の一例について詳細に説明したが、本発明はこれに限定されず、本発明の要旨を逸脱しない範囲において、各種の改良や変形を行ってもよいのはいうまでもない。
【符号の説明】
【００３６】
２            車両
３            前輪
４            第１扉
５            後輪
６            第２扉
７            床下機器配置部
８            床面
１０          検診車
１１          床下空間
１２          突起
１２Ａ        滑り止め
１２Ｂ        ステップ板
１３          床上空間
１４          ダンパーステー
１６          開口部
１７          ピン
１８          長穴
１８Ａ        摺動部
１８Ｂ        係合部
１９          回転軸
【図１】
2011126504.tif 000003
【図２】
2011126504.tif 000004
【図３】
2011126504.tif 000005
【図４】
2011126504.tif 000006
【図５】
2011126504.tif 000007
【図６】
2011126504.tif 000008